(57)【要約】      （修正有）【課題】環境内の微生物の増殖を阻害し、滅菌するためのエアー・フィルター・システムを提供する。【解決手段】エアー・フィルター・システム１０は、フィルター・ハウジング１１、エアー・フィルター材１２、及びフィルター材に電気的に連結された電気回路を有する。フィルター材は、導電性材料でコーティングされて、前部垂直ストリップ２７及び後部ストリップ２８を形成する、前部プリーツ頂部２５と後部プリーツ頂部２６を備えたプリーツの付いたエアー・フィルター材料２３からなる。電気回路は、正の前部電気接点３０及び後部電気接点を含む。前部電気接点３０は、フィルター前部ストリップに水平に交差して配置されかつ電気的に接触をする、細長い前部電気接触バー３３と電気的に接触をする後方表面を有する。後部電気接点は、細長い後部電気接触バー３４と電気的に接触をする前方表面を有する。【選択図】図２
2012139649.tif 000002
【特許請求の範囲】
【請求項１】
複数の細長い前部折り目頂部、及び複数の細長い後部折り目頂部を形成する、多数のプリーツの付いたエアー・フィルター材；
該複数の細長い前部折り目頂部に塗布されて、複数の細長い導電性前部ストリップを形成する、第１の導電性コーティング；
該複数の細長い後部折り目頂部に塗布されて、複数の細長い導電性後部ストリップを形成する、第２の導電性コーティング；
該複数の細長い導電性前部ストリップと交差して伸びかつ電気的に接触している、細長い前部接触バー；
該複数の細長い導電性後部ストリップと交差して伸びかつ電気的に接触している、細長い後部接触バー；及び
上記多数のプリーツの付いたエアー・フィルター材の外周周りに取り付けられたフレーム；
を含み、
それにより電源を、前部接触バーと後部接触バーに連結させて、配置された電圧及びフィルター材を通じる電流を作出し、フィルター材に捕捉されることになる微生物の増殖を阻害し、滅菌し得る、エアー・フィルター・システム。
【請求項２】
フィルター材がポリプロピレン材料で作られている、請求項１に記載のエアー・フィルター・システム。
【請求項３】
複数の細長い導電性前部ストリップと交差して伸びかつ電気的に接触する、第２の細長い前部接触バー、及び該複数の細長い導電性後部ストリップと交差して伸びかつ接触する、第２の細長い後部接触バーを、さらに含む請求項１に記載のエアー・フィルター・システム。
【請求項４】
フレームに取り付けられ、前部接触バーと電気的に接触をしている前部電気接点部材を、さらに含む請求項１に記載のエアー・フィルター・システム。
【請求項５】
フレームに取り付けられ、後部接触バーと電気的に接触をしている後部電気接点部材を、さらに含む請求項４に記載のエアー・フィルター・システム。
【請求項６】
前部接触バーが柔軟な材料で出来ている、請求項１に記載のエアー・フィルター・システム。
【請求項７】
前部接触バーの柔軟な材料が、導電性カーボンフォーム又はフェルトである、請求項６に記載のエアー・フィルター・システム。
【請求項８】
後部接触バーが柔軟な材料で出来ている、請求項６に記載のエアー・フィルター・システム。
【請求項９】
前部接触バーの柔軟な材料及び後部接触バーの柔軟な材料が、導電性カーボンフォーム又はフェルトである、請求項８に記載のエアー・フィルター・システム。
【請求項１０】
前記フレームが、外周壁、該外周壁から伸びる内向きの前部フランジ、及び該外周壁から伸びる内向きの後部フランジを含み、そしてここで前記前部電気接点部材が、上記フレームの前方で電気的に接触させるための前方表面及び該フレームの後側で上記前部接触バーと電気的に接触させるための後方表面を有し、そしてここで前記後部電気接点部材が、上記フレームの後方で電気的に接触させるための後方表面及び該フレームの前方で前記後部接触バーと電気的に接触させるための前方表面を有する、請求項１に記載のエアー・フィルター・システム。
【請求項１１】
複数の細長い前部折り目頂部及び複数の細長い後部折り目頂部を形成する、多数のプリーツの付いたエアー・フィルター材；
該複数の細長い前部折り目頂部に塗布されて、複数の細長い導電性前部ストリップを形成し、そして該複数の細長い後部折り目頂部に塗布されて、導電性後部ストリップを形成する導電性コーティング；
該複数の細長い導電性前部ストリップと交差して伸びかつ電気的に接触する、細長い前部接触バー；
該複数の細長い導電性後部ストリップと交差して伸びかつ接触する細長い後部接触バー；及び
上記多数のプリーツの付いたエアー・フィルター材の外周周りに取り付けられるフレームであって、外周支持壁、少なくとも１つの該外周支持壁から伸びている前部フランジ、及び少なくとも１つの該外周支持壁から伸びている後部フランジを有する上記フレーム、該前部フランジに取り付けられ、該フレームの前方で電気的に接触させるための前方表面及び該フレームの後側で上記前部接触バーと電気的に接触させるための後方表面を有する前部接点、及び上記後部フランジに取り付けられ、上記フレームの後方で電気的に接触させるための後方表面と及び該フレームの前側で上記後部接触バーと電気的に接触させるための前方表面を有する後部接点；
を含み、
それにより電源を前部接触バーと後部接触バーに連結させて、配置された電圧とフィルター材を通じる電流を作出し、フィルター材に捕捉されることになる微生物の増殖を阻害し滅菌し得る、エアー・フィルター・システム。
【請求項１２】
フィルター材がポリプロピレン材料で作られている、請求項１１に記載のエアー・フィルター・システム。
【請求項１３】
複数の細長い導電性前部ストリップと交差して伸びかつ電気的に接触する、第２の細長い前部接触バー、及び多数の細長い導電性後部ストリップと交差して伸びかつ接触する、第２の細長い後部接触バーを、さらに含む請求項１１に記載のエアー・フィルター・システム。
【請求項１４】
前部接触バーが、柔軟な材料で作られている、請求項１１に記載のエアー・フィルター・システム。
【請求項１５】
前部接触バーの柔軟な材料が、導電性カーボンフォーム又はフェルトである、請求項１４に記載のエアー・フィルター・システム。
【請求項１６】
後部接触バーが、柔軟な材料で出来ている、請求項１４に記載のエアー・フィルター・システム。
【請求項１７】
前部接触バーの柔軟な材料及び後部接触バーの柔軟な材料が、導電性カーボンフォーム又はフェルトである、請求項１６に記載のエアー・フィルター・システム。
【発明の詳細な説明】
【技術分野】
【０００１】
関連出願の参照
本出願人は、２００９年９月１日出願の米国仮出願No.６１／２３８，７７６の利益を主張する。
【０００２】
本発明は、独立して、又は、冷暖房空調システムとともに機能するエアー・フィルターに係る。
【背景技術】
【０００３】
大部分の冷暖房空調（ＨＶＡＣ）システムの空気の戻りには、ＨＶＡＣシステムの蒸発器、又は、加熱器のコイルを塞ぐ、又は、覆う可能性のある、浮遊粉塵、及び、他の浮遊汚染物質を除去するために、エアー・フィルターが備えられている。これらのフィルターはまた、病気を引き起こす可能性がある微生物をも捕捉する。
【０００４】
独立して、又は、スタンドアロン・ユニットとして機能する、エアー・フィルター又は清浄器は、空気から汚染物質を除去するためにも存在している。そのユニットはまた、微生物を含む汚染物質を捕獲するためにフィルター材を用いている。
【０００５】
従って、環境内の微生物の増殖を阻害し得るフィルター・システムへの要求が存在することがわかる。従って、本発明が主として意図しているのは、このことの提供である。
【発明の概要】
【課題を解決するための手段】
【０００６】
エアー・フィルター・システムは、複数の細長い前部折り目頂部、及び複数の細長い後部折り目頂部を形成する、多数のプリーツの付いたエアー・フィルター材；複数の細長い前部折り目頂部に塗布されて、複数の細長い導電性前部ストリップを形成する、第１の導電性コーティング；複数の細長い後部折り目頂部に塗布されて、複数の細長い導電性後部ストリップを形成する、第２の導電性コーティング；複数の細長い導電性前部ストリップと交差して伸びかつ接触している、細長い前部接触バー；複数の細長い導電性後部ストリップと交差して伸びかつ接触している、細長い後部接触バー；及び、多数のプリーツの付いたエアー・フィルター材の外周周りに取り付けられたフレームを含む。この構成で、電源を、前部接触バーと後部接触バーに連結させて、配置された電圧及びフィルター材を通じる電流を作出し、フィルター材に捕捉されることになる微生物の増殖を阻害し、滅菌し得る。
【図面の簡単な説明】
【０００７】
【図１】説明の明確化のために、一部を取り除いて示されている、本発明の好ましい形態のエアー・フィルター・システムの透視図である。
【図２】図１のフィルター・システムの一部の分解立体図である。
【図３】付属設備と概略的に連結されていることを示す図１のフィルター・システムの概略図である。
【図４】図１のフィルター・システムの一部の拡大図である。
【図５】フィルター材を通じて流れる電流を示す、図１のフィルター・システムの一部の概略図である。
【図６】引き起こされた静電場を示す、図１のフィルター・システムの一部の概略図である。
【図７】図１のフィルターの一部の拡大概略図である。
【発明を実施するための形態】
【０００８】
図面を参照しながら、本発明の好ましい形態のエアー・フィルター・システム１０を示す。エアー・フィルター・システム１０は、フィルター・ハウジング１１、エアー・フィルター材１２、及びフィルター材１２に電気的に連結される付帯電気回路１３を含む。エアー・フィルター・システム１０は、フィルター・システムがスタンドアロン・システムとして、又は、追加のＨＶＡＣシステムとして使用されるかによって、エアー・ブロワー１５を含んでも、又は、含まなくてもよい。
【０００９】
ハウジング１１は、上壁１７、底壁１８、及び２つの相対して配置された側壁１９を含む支持壁の矩形フレーム又は配列を有する。フレームはまた、支持壁から内向に伸びている内側前部フランジ２１、及び内側後部フランジ２２をも含んでいる。
【００１０】
フィルター材１２は、０．１μ以上の空気中粒子を９９．７％の効率で濾過するとされている、Shuenn Bao Shing Corporation of Chang Hwa Hsien、Taiwan製のポリプロピレンのメルトブロー材などの１枚のフィルター材料２３から構成されている。フィルター材料２３は、一連の垂直方向のプリーツ２４を形成するために折り曲げられるが、多数のプリーツの方向は重要ではない。フィルター材の前部側は、水平に並んだ垂直前部プリーツ頂部２５を有し、一方、フィルター材の後部側は、水平に並んだ垂直後部プリーツ頂部２６を有する。本明細書に使用されている様な用語、前（front）、及び後（rear）は、フィルターを通る空気流に対してフィルターの方向が、前部は後部の上流の位置であることを表わすように意図されている。フィルター材１２は、プリーツの形状を保つための、従来のくし状部及びスタビライザを含んでよい。
【００１１】
電気回路１３の一部として、前部、及び、後部プリーツ頂部２５と２６は、導電性材料の前部垂直線、又はストリップ２７及び後部垂直線、又はストリップ２８を各頂部２５と２６に沿って形成するために、エアー・フィルター材料２３に結合するカーボン系インクの様な、電気導電性インク、塗料、又は他の材料で処理、又は塗布される。
【００１２】
電気回路１３はまた、正の前部電気接点又は接点部材３０、及び負の後部電気接点又は接点部材３１をも含んでいて、それぞれはKunshan Hanpin Dianzi Co., Ltd. 製のアルミニウム・ホイルの様な導電性ホイルで作り得る。前部電気接点３０は、導電性インクのフィルター前部垂直線２７に対して、水平に交差して配置されかつ電気的に接触する細長い前部電気接触バー３３と電気的に接触をする後方表面３０’を有する。同様に、後部電気接点３１は、導電性インクのフィルター後部垂直線２７に対して、水平に交差して配置されかつ電気的に接触をする細長い後部電気接触バー３４と電気的に接触をする前方表面３１’を有する。前部及び後部電気接触バー３３と３４は、Taiwan、Tainan Hsien、Yung Kang市にあるChao-Yang Electric Mfg.、Co.、LTD製の導電性フォームの様な、柔軟な、導電性カーボンフォーム又はフェルトで作り得る。前部電気接点３０は、高圧直流電源３６に電気的に連結され、一方後部電気接点３１は、電流が前部接点３０から後部接点３１に流れる様にアースに連結される。電圧供給源３６との連結を速やかに容易にするために、前部電気接点３０は露出前側表面３０”を有し、後部電気接点３１は露出後側表面３１”を有する。この様なものとして、フィルターは電源に連結され、フィルター装置と関連した付属装置上に取り付けられた、露出した対応電気接点と直接接触をするために置かれた、接点３１と３２とともに、所定の位置に取り付け得る。接点３１と３２と付属電気接点との間を確実に接触させるために、前部接点前方表面３０’は、好ましくは前部フランジ２１の前方表面から前方に突き出ている。同様に、後部接点後方表面３０’は、後部フランジ２２の後方表面から後方に突き出ていることが好ましい。
【００１３】
使用するには、直流電源３６は、好ましくは、電圧範囲が、２キロボルトから１７キロボルト（好ましくは１２キロボルト）で、電流範囲が１から５０マイクロ・アンペア（好ましくは、４０マイクロ・アンペア）の直流電源を供給する。正電流が前部接点３０に加えられ、一方負電流が後部接点３１に加えられる。この電流は、前部接点３０及び後部接点３１に送られ、これは次に電流を前部及び後部電気ストリップ３３と３４に送る。電流は次に、フィルター材プリーツのフィルター前部及び後部垂直線２７と２８に送られる。電流は、図５の矢印にて描かれている様に、フィルター材を通って流れる。このフィルター材を通る電流は、図６の垂直の線で表わされる静電場を創り出す。
【００１４】
配置された（fielded）高電圧及びフィルター材を通じて流れる一定量の電流は、汚染された空気がフィルターを通過するときに、フィルター材に捕捉されることになる微生物の増殖を阻害し、滅菌する環境をもたらす。
【００１５】
従って、微生物の増殖を阻害するエアー・フィルター・システムが、ここに提供されることがわかる。なお、具体的に挙げられているものに加えて、以下の請求項にて記述されている本発明の趣旨と範囲を逸脱することなく、本明細書に記述されている特定の好ましい実施態様に、多くの変更を加えることができることは当然のことと理解すべきである。
【図１】
2012139649.tif 000003
【図２】
2012139649.tif 000004
【図３】
2012139649.tif 000005
【図４】
2012139649.tif 000006
【図５】
2012139649.tif 000007
【図６】
2012139649.tif 000008
【図７】
2012139649.tif 000009
【外国語明細書】
2012139649000001.pdf